(57)【要約】【課題】地下室の天井パネルの裏面に設置された空調装置が稼動中であってもその稼動音や稼動振動が小さく且つ空調機の取付作業の容易な地下室への空調装置取付構造を供する。【解決手段】天井パネル１、壁パネル２および床パネル３から構成される地下室４の該天井パネル１に、該地下室上方の地上構造物５の床６との間の地下室天井裏空間７に突出する周側壁９からなる立上り開口部８を形成し、該周側壁内に収納された空調機１２を、該周側壁９の頂面に弾性体１１を介して被蓋した開口部蓋１０の内面に吊設し、該空調機１２に接続された空調用ダクト１３を該地下室天井裏空間７を介して、戸外に導出したことを特徴とする地下室への空調装置取付構造。【選択図】図１
2004346715.tif 000002
【特許請求の範囲】
【請求項１】
天井パネル、壁パネルおよび床パネルから構成される地下室の該天井パネルに、該地下室上方の地上構造物における床下方の地下室天井裏空間に突出する周側壁からなる立上り開口部を形成し、該周側壁内に収納された空調機を、該周側壁の頂面に弾性体を介して被蓋した開口部蓋の内面に吊設し、該空調機に接続された空調用ダクトを該地下室天井裏空間を介して、戸外に導出したことを特徴とする地下室への空調装置取付構造。
【発明の詳細な説明】
【０００１】
【発明の属する技術分野】
本発明は、地下室の空調を行うための空調機を、地下室の天井パネルに形成した開口部に設置するようにした地下室への空調装置取付構造に関する。
【０００２】
【従来の技術】
従来、地下室の天井裏と地上建造物の床下との間の空間に、空調用ダクトをその外端部が戸外に通ずるよう配設し、該空調用ダクトの内端部に接続された空調機を収納した空調機収納ボックスを、地下室の天井パネルに設けた開口部に臨むよう設置した地下室への空調装置取付構造が知られている（例えば、特許文献１。）。
【０００３】
【特許文献１】
特開平９−７１９５４号公報（第１−３頁、第１図、第２図）
【０００４】
【発明が解決しようとする課題】
上記従来の地下室への空調装置取付構造は、空調機を収納した空調機収納ボックスを、地下室の天井パネルに形成した開口部に設置するものであったが、該空調機のモータや換気扇の稼動振動や稼動騒音が地下室の天井パネルや地下室居住空間に伝わり、居住性がよくないという問題点があり、また、該空調機の稼動振動によって発生する天井パネルの振動が地下室の躯体を劣化させる虞があった。更に、地下室の天井パネルから地上構造物の床裏面までの空間が狭いので、空調機を収納した空調機収納ボックスの設置作業や保守点検作業を行いにくいという問題点があった。
【０００５】
本発明は、地下室の天井パネルに設置された空調装置が稼動中であってもその稼動振動や稼動騒音が小さくなるようにした地下室への空調装置取付構造を得ることを目的としており、さらに空調装置の地下室天井パネルへの取付作業を容易にした地下室への空調装置取付構造を提供することを目的としている。
【０００６】
【課題を解決するための手段】
上記課題を解決するために、本発明は、つぎのような技術的手段を講じている。すなわち、本発明の地下室への空調装置取付構造は、天井パネル、壁パネルおよび床パネルから構成される地下室の該天井パネルに、該地下室上方の地上構造物における床下方の地下室天井裏空間に突出する周側壁からなる立上り開口部を形成し、該周側壁内に収納された空調機を、該周側壁の頂面に弾性体を介して被蓋した開口部蓋の内面に吊設し、該空調機に接続された空調用ダクトを該地下室天井裏空間を介して、戸外に導出したことを特徴とするものである。
【０００７】
天井パネルに形成した立上り開口部内に空調機を収納し易くするために、空調機の収納作業時は、開口部蓋を立上り開口部の周側壁の頂面に対し開閉自在とすることが好ましい。或いは、空調機を収納した後も、開口部蓋を適当な機密性を維持した状態で開閉自在に被蓋してもよい。
【０００８】
また、立上り開口部の周側壁の頂部外周に型鋼（図示せず）を設け、該型鋼に開口部蓋を地下室天井裏空間から熔接固定すれば、開口部蓋の固定作業が容易となる。
【０００９】
さらに、上記空調機を開口部蓋に取り付ける作業を容易にするために、空調機を開口部蓋に着脱自在に吊設するのが好ましい。
【００１０】
さらにまた、該空調機の設置高さをボルトとナットで調整をしながら、吊設してもよく、或いは、スプリングで空調機を開口部蓋に吊設してもよい。
【００１１】
【発明の実施の形態】
以下、本発明の好ましい実施の形態について、図面を参照して、さらに詳細に説明する。図１は、本発明にかかる地下室への空調装置取付構造の一実施例を示す部分縦断面図、図２は、上記実施例にかかる地下室部分の外観を示す一部断面斜視図、図３は上記実施例の地下室天井パネルの裏面に形成した立上り開口部における開口部蓋を開けたときの斜視図である。先ず始めに、地下室の全体構造について説明する。本発明にかかる地下室４は、天井パネル１、壁パネル２および床パネル３の夫々の周囲枠１４を互いに組み立て接合して地下室居住空間を構成するのである。各天井パネル１、壁パネル２および床パネル３のそれぞれは略矩形状をしておりその周囲枠１４および中枠（図示せず）は型鋼で構成されている。実施例においては、天井パネル１の周囲枠１４は山型鋼で形成され、壁パネル２の周囲枠１４は溝型鋼で形成されている（図１参照）。図面には表われていないが床パネル３の周囲枠も溝型鋼で形成されている。各パネルの周囲枠１４が互いに溶接接合やボルトナット接合によって枠組みされる。１５は防錆加工を施した鉄板等からなるスキンプレートであって、該スキンプレート１５は各パネルの周囲枠１４の外側面に溶接接合で貼着されている。図２に示す如く、床パネル３は水平なレベル出しコンクリート１６に敷設され、壁パネル２のスキンプレート１５の外周面は埋め戻しコンクリート１７で被われ、天井パネル１のスキンプレート１５の上面に被覆コンクリート１８が打たれている。
【００１２】
天井パネル１には地下室４の居住空間に連通した立上り開口部８が形成されている。該立上り開口部８は被覆コンクリート１８を貫通して上方に立ち上がった周側壁９からなり、該周側壁９は天井パネル１を被った被覆コンクリート１８と該地下室４の上方の地上構造物５の床６との間の地下室天井裏空間７に突出している。立上り開口部８は最外側が天井パネル１のスキンプレートと連接したスキンプレート１５でありその内側が順番に防湿ボード１９、ウレタン、スチロール等の発泡樹脂等からなる断熱材２０、吸音ボード２１となっている。周側壁９内の上下端部に胴縁等からなる木製枠２２が設けられ、上端の木製枠２２の上に山型鋼等からなる頂面枠２３が設けられている。防湿ボード１９は独立気泡を含んだ１０ｍｍの厚さのプラスチック発泡体と１２ｍｍの厚さの石膏ボードを張り合わせた合成板であるが、呼吸機能や消音機能をも持たせることが好ましい。地下室４の居住空間の天井面および壁面にはクロスを張った防湿ボード１９が内装されている。
【００１３】
立上り開口部８の周側壁９の上端開口部は開口部蓋１０で被蓋される。開口部蓋１０は防錆処理した鉄板等からなる金属板１０１の表面に断熱防音板１０２を貼着したものであり、実施例においては、金属板１０１の内面に、弾性体１１を貼りこの弾性体１１を介して開口部蓋１０を周側壁９の上端の頂面枠２３に適当数のタッピングネジ２４で固定する。弾性体１１は防振ゴムや厚さ５ｍｍ程度のブチル系シールを一枚または数枚重ねたものである。弾性体１１は該周側壁９の頂面にのみ介在するよう矩形枠状にしてもよい。開口部蓋１０の周側壁９への固定方法は限定されない。例えば、立上り開口部８の周側壁９の頂部外周に型鋼（図示せず）を設け、該型鋼に開口部蓋１０の金属板１０１を熔接してもよく。また、開口部蓋１０を立上り開口部８の周側壁９の頂面に対し開閉自在固定してもよい。
【００１４】
空調機１２は立上り開口部８の周側壁９内に収納されており、具体的には、開口部蓋１０の内面に４個のナット２５を熔接固定し、該ナット２５に４本の垂下ボルト２６を螺合固定し、該４本の垂下ボルト２６の夫々の下端部に、空調機１２の下端部の４隅に固着したＬ字形金具２７を摺動自在の嵌挿させた後、該垂下ボルト２６の下端部に螺合した支承ナット２８で、空調機１２を支承する。従って、該空調機１２は開口部蓋１０の内面にその設置高さを調整されながら着脱自在に吊設されるのである。
【００１５】
該空調機１２には２本のフレキシブルな２本の空調用ダクト１３が接続されており、該空調用ダクト１３は立上り開口部８の周側壁９に形成した貫通孔９１を貫通して地下室天井裏空間７に導出され、続いて該地下室天井裏空間７を、図１の矢印で示す如く、下り勾配で配設され、その先端部が布基礎２９に形成した貫通孔２９１を貫通して戸外に導出され、さらに、その先端部にフード３０が取付けられている。空調用ダクト１３は地下室４の居住空間の排気および空気の取り入れを行うものである。フード３０によって雨水、ゴミ、虫等の侵入が防止される。
【００１６】
天井パネル１の立上り開口部８の居住空間につながる開口部には空調機１２が臨んで設置されており該開口部にフィルター３１が着脱自在に、極力下方に突出しないように、嵌着されており、空調機１２の設置高さの再調整や保守点検時にはフィルター３１が取り外される。
【００１７】
【発明の効果】
本発明は、以上説明したように構成されているので、以下に記載されるような効果を有する。
【００１８】
空調機１２を立上り開口部８の周側壁９内に収納した状態では、空調機１２が開口部蓋１０の内面に吊設され、該開口部蓋１０は弾性体１１を介して周側壁９に固定されることになるから、該空調機１２の稼動振動が弾性体１１によってよく吸収され、従って、該稼動振動や稼動騒音が地下室４の躯体や居住空間に、伝わりにくくなる。故に、該地下室４の居住空間をオーディオルームや録音スタジオとして使用するときにも、必ずしも空調機９を停止する必要がないのである。さらに、該稼動振動は弾性体１１によってよく吸収されるので、天井パネル１に伝わる振動も小さくなり該振動による地下室の躯体の劣化を押さえることができる。
【００１９】
そして、立上り開口部８の周側壁９の頂面全周にわたって弾性体１１を介在させるものであるから、該弾性体１１が対称的に設置されることになり、空調機１２の稼動振動や可動騒音が該弾性体１１にバランスよく吸収され、稼動振動が周側壁９に略平均的に伝わりやすくなり、従って、周側壁９に異常振動が伝わりにくく、空調機１２の稼動時においても、快適な地下室居住空間を得ることができるのである。
【００２０】
また、空調機１２は周側壁９に直接固定されていないから、空調機１２の荷重は該周側壁９の頂面から下方に向く圧縮力が略対称的に働き該周側壁９の構造に対して無理な変則な力が働かず、立上り開口部８の構造が安定し長寿命となる。
【００２１】
さらに、空調機１２を開口部蓋１０に着脱自在に吊設すると、空調機１２の立上り開口部８での収納位置（高さ）の調整を簡単に行うことができる。
【００２２】
また、立上り開口部８に対する開口部蓋１０の装着作業を地下室天井裏空間７の側からも行えるので、該開口部蓋１０の装着作業は勿論のこと空調機１２の取付作業をも効率よく行うことができるのである。
【図面の簡単な説明】
【図１】本発明にかかる地下室への空調装置取付構造の一実施例を示す部分縦断面図である。
【図２】上記実施例にかかる地下室部分の外観を示す一部断面斜視図である。
【図３】上記実施例の地下室天井パネルの裏面に形成した立上り開口部における開口部蓋を開けたときの斜視図である。
【符号の説明】
１・・・天井パネル、２・・・壁パネル、３・・・床パネル、４・・・地下室、５・・・地上建造物、６・・・地上建造物の床、７・・・地下室の天井パネルと地上建造物の床との間の地下室天井裏空間、８・・・立上り開口部、９・・・立上り開口部の周側壁、９１・・・貫通孔、１０・・・開口部蓋、１０１・・・開口部蓋を形成する金属板、１０２・・・断熱防音板、１１・・・弾性体、１２・・・空調機、１３・・・空調用ダクト、１４・・・各パネルの周囲枠、１５・・・スキンプレート、１６・・・レベル出しコンクリート、１７・・・埋め戻しコンクリート、１８・・・被覆コンクリート、１９・・・防湿ボード、２０・・・断熱材、２１・・・吸音ボード、２２・・・木製枠、２３・・・頂面枠、２４・・・タッピングネジ、２５・・・ナット、２６・・・垂下ボルト、２７・・・Ｌ字形金具、２８・・・支承ナット、２９・・・布基礎、２９１・・・貫通孔、３０・・・フード、３１・・・フィルター。
【図１】
2004346715.tif 000003
【図２】
2004346715.tif 000004
【図３】
2004346715.tif 000005